(57)【要約】【課題】使用者に対して触感を伝達することができるとともに、ある程度の防水性および防塵性を有しており、かつ小型化を実現した電子機器、およびこれを備えた携帯端末を提供する。【解決手段】電子機器Ｘ１は、主面３ａを有した基部３と、基部３に設けられた側部５と、側部５上に設けられており、基部３の主面３ａと空間Ｓ１を介して対向して配置された操作部４と、基部３の主面３ａと操作部４との間の空間Ｓ１内に配置されたタッチパネル６と、基部３の主面３ａと操作部４との間の空間Ｓ１内に配置されており、かつ操作部４を振動させる振動部８と、側部５の内壁面５２ａ側に設けられており、かつ操作部４を支持する支持部７と、を備える。【選択図】図３
2013008151.tif 000002
【特許請求の範囲】
【請求項１】
主面を有した基部と、
前記基部に設けられた側部と、
前記側部上に設けられており、前記基部の前記主面と空間を介して対向して配置された操作部と、
前記基部の前記主面と前記操作部との間の空間内に配置された検出部と、
前記基部の前記主面と前記操作部との間の空間内に配置されており、かつ前記操作部を振動させる振動部と、
前記側部の内壁面側に設けられており、かつ前記操作部を支持する支持部と、を備える、電子機器。
【請求項２】
前記支持部は、前記側部の内壁面に設けられている、請求項１に記載の電子機器。
【請求項３】
前記操作部は、操作面、および該操作面の反対側に位置する背面を有しており、
前記振動部は、前記操作部の前記背面に設けられている、請求項１または２に記載の電子機器。
【請求項４】
前記操作部は、角部を有しており、
前記支持部は、前記角部を支持する、請求項１〜３のいずれか一項に記載の電子機器。
【請求項５】
前記操作部は、第１角部、第２角部、第３角部、および第４角部を有しており、
前記支持部は、前記第１角部、前記第２角部、前記第３角部、および前記第４角部をそれぞれ支持する、請求項４に記載の電子機器。
【請求項６】
前記操作部は、前記第１角部と前記第２角部との間に位置する第１端部、および前記第３角部と前記第４角部との間に位置する第２端部をさらに有しており、
前記支持部は、前記第１端部および前記第２端部をそれぞれ支持する、請求項５に記載の電子機器。
【請求項７】
前記検出部は、タッチパネルであり、
前記基部の前記主面と前記操作部との間の空間内に配置された表示パネルをさらに備える、請求項１〜６のいずれか一項に記載の電子機器。
【請求項８】
前記検出部は、表示パネルであり、
前記表示パネルは、入力位置を検知する位置検知機能を備えている、請求項１〜６のいずれか一項に記載の電子機器。
【請求項９】
前記表示パネルは、液晶表示パネルである、請求項７または８に記載の電子機器。
【請求項１０】
請求項１〜９のいずれか一項に記載の電子機器と、
音声が出力される音声出力部と、
前記電子機器および前記音声出力部を収容する筐体と、を備える、携帯端末。
【発明の詳細な説明】
【技術分野】
【０００１】
本発明は、使用者に対して触感を伝達することができる電子機器、およびこれを備えた携帯端末に関する。
【背景技術】
【０００２】
近年、操作部を備えた電子機器において、使用者がこの操作部を操作した場合に、操作した使用者に対して、押圧感、なぞり感、肌触り感等の様々な触感を伝達する触覚伝達技術が知られている（例えば、特許文献１参照）。このような触覚伝達技術を適用した電子機器は、主に、携帯端末に備えられることから、防水性および防塵性を有していることが要求される。また、携帯端末の小型化に伴い、電子機器の小型化も要求される。
【先行技術文献】
【特許文献】
【０００３】
【特許文献１】特開２００３−１２２５０７号公報
【発明の概要】
【発明が解決しようとする課題】
【０００４】
本発明は、使用者に対して触感を伝達することができるとともに、ある程度の防水性および防塵性を有しており、かつ小型化を実現した電子機器、およびこれを備えた携帯端末に関する。
【課題を解決するための手段】
【０００５】
本発明の電子機器における一態様は、主面を有した基部と、前記基部に設けられた側部と、前記側部上に設けられており、前記基部の前記主面と空間を介して対向して配置された操作部と、前記基部の前記主面と前記操作部との間の空間内に配置された検出部と、前記基部の前記主面と前記操作部との間の空間内に配置されており、かつ前記操作部を振動させる振動部と、前記側部の内壁面側に設けられており、かつ前記操作部を支持する支持部と、を備える。
【０００６】
本発明の携帯端末における一態様は、本発明に係る電子機器と、音声が出力される音声出力部と、前記電子機器および前記音声出力部を収容する筐体と、を備える。
【発明の効果】
【０００７】
本発明の電子機器、およびこれを備えた携帯端末は、使用者に対して触感を伝達することができるとともに、ある程度の防水性および防塵性を有しており、かつ小型化を実現することができる、という効果を奏する。
【図面の簡単な説明】
【０００８】
【図１】本実施形態に係る電子機器の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】図１中に示した切断線ＩＩＩ−ＩＩＩに沿って切断した断面図である。
【図５】図１中に示した切断線ＩＶ−ＩＶに沿って切断した断面図である。
【図６】電子機器の動作例を示すフローチャートである。
【図７】本実施形態に係る携帯端末の概略構成を示す平面図である。
【図８】変形例１に係る電子機器の概略構成を示す平面図である。
【図９】図８中に示した切断線Ｖ−Ｖに沿って切断した断面図である。
【発明を実施するための形態】
【０００９】
以下、本発明の実施形態について、図面を参照しながら説明する。
【００１０】
但し、以下で参照する各図は、説明の便宜上、本発明の一実施形態の構成部材のうち、本発明を説明するために必要な主要部材を簡略化して示したものである。したがって、本発明に係る電子機器、およびこれを備えた携帯端末は、本明細書が参照する各図に示されていない任意の構成部材を備え得る。
【００１１】
図１〜図５に示すように、本実施形態に係る電子機器Ｘ１は、液晶表示パネル２、基部３、操作部４、側部５、タッチパネル６、支持部７、および振動部８を備えている。
【００１２】
液晶表示パネル２は、表示のために液晶組成物を利用した表示パネルである。具体的には、液晶表示パネル２は、一方基板と、一方基板に対向して配置される他方基板と、一方基板と他方基板との間に介在した液晶層と、一方基板と他方基板との間に介在しかつ表示に寄与する表示部材層とを備えている。なお、表示部材層としては、例えば、画素電極、配向膜等が挙げられる。また、液晶表示パネル２は、透過型であれば、一方基板、液晶層、および他方基板を照射するバックライトを備えており、反射型であれば、一方基板と他方基板との間に介在した反射膜を備えている。また、液晶表示パネル２は、半透過型であれば、バックライトを備えているとともに、一方基板と他方基板との間に介在した半透過膜を備えている。
【００１３】
液晶表示パネル２の駆動方式としては、単純マトリクス駆動方式であってもよいし、アクティブマトリクス駆動方式であってもよい。また、モノクロの液晶表示パネル２であってもよいし、カラーの液晶表示パネル２であってもよい。ここで、実際には、液晶表示パネル２の表面あるいは裏面には、位相差板、偏光板等が設けられているが、これらの詳細についての図示および説明は省略する。
【００１４】
なお、液晶表示パネル２の代わりに、プラズマディスプレイ、有機ＥＬディスプレイ、電子ペーパ等の表示パネルであってもよい。
【００１５】
基部３は、主面３ａを有しており、基部３の主面３ａ上に液晶表示パネル２が設けられている。基部３の構成材料としては、例えば、ポリカーボネート等の樹脂、ステンレス、アルミニウム、マグネシウム合金等の金属が挙げられる。
【００１６】
操作部４は、操作面４ａ、およびこの操作面４ａの反対側に位置する背面４ｂを有している。操作面４ａは、使用者により指あるいはペン等で入力操作される面である。背面４ｂは、操作面４ａの反対側に位置しており、基部３の主面３ａと空間Ｓ１を介して対向する面である。すなわち、操作部４は、基部３の主面３ａと空間Ｓ１を介して対向して配置される。また、操作部４は、透光性を有している。なお、本明細書において透光性とは、可視光に対する透過性を有することを意味する。操作部４は、例えば、ポリエチレンテレフタレート等の合成樹脂をフィルム状に形成したもの、あるいは厚みを薄く形成したガラス、プラスチック等である。
【００１７】
側部５は、液晶表示パネル２を取り囲むように基部３に設けられている。本実施形態では、側部５は、第１側部５１および第２側部５２を有している。第１側部５１は、基部３の主面３ａから上方に突出するように設けられている。第２側部５２は、操作部４の背面４ｂから下方に突出するように設けられている。すなわち、第２側部５２上に操作部４が設けられている。第１側部５１と第２側部５２とは両面テープ５ａを介して互いに接着されている。ここで、基部３と第１側部５１とは、一体的に形成されていてもよいし、別個
独立に形成されていてもよい。基部３と第１側部５１とが一体的に形成されている場合、第１側部５１の構成材料としては、基部３の構成材料と同様のものが挙げられる。また、操作部４と第２側部５２とは、一体的に形成されていてもよいし、別個独立に形成されていてもよい。操作部４と第２側部５２とが一体的に形成されている場合、第２側部５２の構成材料としては、操作部４の構成材料と同様のものが挙げられる。
【００１８】
なお、上記では、側部５は、第１側部５１および第２側部５２の２つを有している例について説明したが、これに限定されない。側部５は、１つであってもよいし、３つ以上の組み合わせであってもよい。また、上記では、第１側部５１と第２側部５２とは両面テープ５ａを介して互いに接着されている例について説明したが、これに限定されない。両面テープ５ａの代わりに、シリコーン製のゴムを第１側部５１と第２側部５２との間に挟み込みネジ止めしてもよい。また、第１側部５１と第２側部５２とを超音波により圧着して接合してもよい。すなわち、第１側部５１と第２側部５２とが密閉性を保ち得るように固定できればよい。
【００１９】
タッチパネル６は、操作部４を介して入力操作された箇所を入力位置として検出する入力デバイスである。また、タッチパネル６は、透光性を有している。図２〜図５に示すように、タッチパネル６は、基部３の主面３ａと操作部４の背面４ｂとの間の空間Ｓ１内に配置されている。本実施形態では、タッチパネル６は、操作部４の背面４ｂに設けられている。なお、タッチパネル６は、液晶表示パネル２上に設けられていてもよい。すなわち、タッチパネル６は、操作部４によって保護されており、操作部４は、タッチパネル６を保護する保護部材としての機能を有している。また、図１に示すように、タッチパネル６は、平面視において矩形状をなしているが、これに限定されない。タッチパネル６は、例えば、静電容量方式のタッチパネル、抵抗膜方式のタッチパネル、表面弾性波方式のタッチパネル、赤外線方式のタッチパネル、あるいは電磁誘導方式のタッチパネルであるが、検出感度の向上の観点から、静電容量方式のタッチパネルであることが好ましい。
【００２０】
本実施形態において、基部３の主面３ａと操作部４の背面４ｂとの間の空間Ｓ１は、基部３、操作部４、側部５、および両面テープ５ａによって封止される。基部３、操作部４、側部５、および両面テープ５ａによって空間Ｓ１が封止されるので、電子機器Ｘ１は、液晶表示パネル２およびタッチパネル６に対して防水性および防塵性を有することになる。なお、本明細書において「防水性および防塵性を有する」とは、完全な防水性および防塵性を有することを意味するものではなく、ある程度の防水性および防塵性を有していればよい、という意味である。ここで、防水性を向上するために、両面テープ５ａは、防水性の両面テープを用いることが好ましい。
【００２１】
支持部７は、操作部４を支持する役割を担う部材である。具体的には、支持部７は、第２側部５２の内壁面５２ａに設けられている。すなわち、支持部７は、第２側部５２の内壁面５２ａと操作部４の背面４ｂとの間に設けられている。本実施形態では、図２および図４に示すように、支持部７は、断面視して三角形状をなしているが、これに限らず、四角形状をなしていてもよい。
【００２２】
また、本実施形態では、図１に示すように、支持部７は、６つ設けられている。具体的には、支持部７は、操作部４の第１角部Ｃ１、第２角部Ｃ２、第３角部Ｃ３、および第４角部Ｃ４のそれぞれを支持しているとともに、第１角部Ｃ１と第２角部Ｃ２との間に位置する第１端部Ｔ１、および第３角部Ｃ３と第４角部Ｃ４との間に位置する第２端部Ｔ２のそれぞれを支持している。ここで、支持部７と第２側部５２とは、一体的に形成されていてもよいし、別個独立に形成されていてもよい。支持部７と第２側部５２とが一体的に形成されている場合、支持部７の構成材料としては、第２側部５２の構成材料と同様のものが挙げられる。また、支持部７と操作部４とは、一体的に形成されていてもよいし、別個
独立に形成されていてもよい。支持部７と操作部４とが一体的に形成されている場合、支持部７の構成材料としては、操作部４の構成材料と同様のものが挙げられる。
【００２３】
振動部８は、使用者による所定の入力操作を検知した場合に、操作部４を振動させる役割を担う部材である。図２〜図５に示すように、振動部８は、基部３の主面３ａと操作部４の背面４ｂとの間の空間Ｓ１内に配置されている。本実施形態では、振動部８は、操作部４の背面４ｂに設けられている。振動部８は、例えば、印加される電圧に基づいて振動する圧電素子であるが、これに限らず、電磁式振動体、バネ、モータ等であってもよい。ここで、圧電素子としては、例えば、圧電体層と金属層とが交互に積層されたバイモルフ型、あるいは圧電体層と金属層を貼り合わせたユニモルフ型が挙げられる。本実施形態では、図１に示すように、振動部８は、操作部４の背面４ｂの、対向する短辺の近傍に、それぞれの短辺に沿って２つ配置されている。なお、振動部８の配置位置、個数等については、特に限定されない。
【００２４】
図示しない触覚伝達ドライバから供給された電圧により、振動部８は振動する。振動部８の振動により、操作部４は湾曲する。具体的には、支持部７が支点となって振動部８の振動により操作部４が下方向に湾曲すると、タッチパネル６も下方向に湾曲する。また、支持部７が支点となって振動部８の振動により操作部４が上方向に湾曲すると、タッチパネル６も上方向に湾曲する。このように、支持部７が支点となって、操作部４およびタッチパネル６が上下方向に湾曲運動を繰り返すことにより、電子機器Ｘ１では、操作部４を入力操作した使用者に対して触感を伝達することができる。
【００２５】
本実施形態では、支持部７は、第２側部５２の内壁面５２ａに設けられており、かつ操作部４を支持している。このため、支持部７が基部３の主面３ａ上に設けられており、かつ操作部４あるいはタッチパネル６を支持する態様と比べて、電子機器Ｘ１の厚みＡ１を小さくすることができる。
【００２６】
また、本実施形態では、図１に示すように、平面視して、第１端部Ｔ１を支持する支持部７における操作部４の背面４ｂとの接触面積は、第１〜第４角部Ｃ１〜Ｃ４を支持する支持部７における操作部４の背面４ｂとの接触面積よりも小さい。また、これと同様に、第２端部Ｔ２を支持する支持部７における操作部４の背面４ｂとの接触面積は、第１〜第４角部Ｃ１〜Ｃ４を支持する支持部７における操作部４の背面４ｂとの接触面積よりも小さい。これにより、操作部４の四隅に位置する第１〜第４角部Ｃ１〜Ｃ４は支持部７によってしっかりと支持されるとともに、第１端部Ｔ１および第２端部Ｔ２は支持部７によって操作部４の湾曲運動が抑制されない程度に支持されることになる。この結果、操作部４を支持しつつ、使用者に対して触感を十分に伝達することができる。
【００２７】
また、本実施形態では、操作部４の背面４ｂに振動部８が設けられているので、タッチパネル６に振動部８が設けられている態様と比べて、振動部８の振動量がある程度少なくても、使用者に対して十分な触感を伝達することができる。言い換えるならば、本実施形態では、振動部８に印加すべき電圧がある程度小さくても、使用者に対して十分な触感を伝達することができる。これは、使用者が入力操作する操作部４に振動部８が直接設けられているからである。また、操作部４に振動部８が設けられているので、タッチパネル６に振動部８が設けられている態様と比べて、振動部８の厚み分、電子機器Ｘ１の厚みＡ１を小さくすることができる。
【００２８】
次に、電子機器Ｘ１の動作例について、図６を参照しながら説明する。
【００２９】
なお、以下では、触覚伝達のうち使用者に対して押圧感を伝達する場合の電子機器Ｘ１の動作例について説明するが、電子機器Ｘ１は、押圧感以外の、例えば、なぞり感、肌触
り感等の様々な触感を伝達する場合にも適用できることは勿論である。
【００３０】
図６に示すように、使用者が操作部４の操作面４ａを押圧した場合に、振動部８は、操作部４への押圧荷重を検出する（Ｏｐ１）。
【００３１】
ここで、振動部８の荷重検出機能について説明する。すなわち、使用者が操作部４の操作面４ａを押圧すると、支持部７が支点となって操作部４が下方向に湾曲する。操作部４の下方向の湾曲に従って振動部８も湾曲する（撓む）。つまり、操作部４への押圧荷重に応じて、振動部８の撓み量が変化する。ここで、振動部８が圧電素子である場合、振動部８は、撓み量に応じた電圧に変換することができる。この結果、振動部８により操作部４の押圧荷重を検出することができる。
【００３２】
仮に、支持部７が存在しない場合、使用者が操作部４の操作面４ａを押圧しても、支点が分散しているため、操作部４の下方向への湾曲度合いは小さくなる。そのため、振動部８の撓み量も小さくなる。この結果、振動部８により操作部４の押圧荷重を感度よく検出できない。これに対して、本実施形態のような支持部７が設けられていると、支持部７が支点となって操作部４が下方向に湾曲し易くなる。このため、本実施形態では、振動部８により操作部４の押圧荷重を感度よく検出できる。なお、上記では、荷重検出機能を振動部８で実現している例について説明したが、これに限らず、例えば、歪みセンサ等の荷重センサによって実現してもよい。
【００３３】
そして、触覚伝達ドライバは、使用者による入力操作が、表示画面に表示された入力オブジェクトに対する入力操作である場合に、Ｏｐ１にて検出された押圧荷重が閾値以上であるか否かを判定する（Ｏｐ２）。なお、触覚伝達ドライバは、例えば、タッチパネル６に対して電圧を印加するためのＦＰＣ（Flexible Printed Circuit）上に、タッチパネル６を制御する位置検出ドライバとともに設けられている。
【００３４】
そして、触覚伝達ドライバは、Ｏｐ１にて検出された押圧荷重が閾値以上であると判定すれば（Ｏｐ２にてＹＥＳ）、振動部８を振動させる（Ｏｐ３）。そして、Ｏｐ３にて振動された振動部８により操作部４が上下方向に湾曲する。これにより、操作部４の操作面４ａを押圧した使用者に対して押圧感が伝達される。一方、触覚伝達ドライバは、Ｏｐ１にて検出された押圧荷重が閾値未満であると判定すれば（Ｏｐ２にてＮＯ）、図６の処理を終了する。
【００３５】
以上より、上記の電子機器Ｘ１は、使用者に対して触感を伝達することができるとともに、ある程度の防水性および防塵性を有しており、かつ小型化を実現することができる。
【００３６】
図７は、上記の電子機器Ｘ１を備えた携帯端末Ｙ１の概略構成を示す斜視図である。携帯端末Ｙ１は、例えば、携帯電話、スマートフォン、ＰＤＡ等である。図７に示すように、携帯端末Ｙ１は、電子機器Ｘ１と、音声入力部１０１と、音声出力部１０２と、キー入力部１０３と、筐体１０４とを備えている。
【００３７】
音声入力部１０１は、例えば、マイク等により構成されており、使用者の音声等が入力される。音声出力部１０２は、スピーカ等により構成されており、相手方からの音声等が出力される。キー入力部１０３は、例えば、機械的なキーにより構成される。なお、キー入力部１０３は、表示画面に表示された操作キーであってもよい。筐体１０４は、電子機器Ｘ１、音声入力部１０１、音声出力部１０２、およびキー入力部１０３を収容する役割を担う部材である。
【００３８】
他にも、携帯端末Ｙ１は、必要な機能に応じて、デジタルカメラ機能部、ワンセグ放送
用チューナ、赤外線通信機能部等の近距離無線通信部、および各種インタフェース等を備える場合もあるが、これらの詳細についての図示および説明は省略する。
【００３９】
携帯端末Ｙ１は、電子機器Ｘ１を備えているので、使用者に対して触感を伝達することができるとともに、ある程度の防水性および防塵性を有しており、かつ小型化を実現することができる。
【００４０】
なお、上記では、携帯端末Ｙ１に音声入力部１０１を備えている例について説明したが、これに限定されない。すなわち、携帯端末Ｙ１には音声入力部１０１は備えていなくともよい。
【００４１】
ここで、電子機器Ｘ１は、上記の携帯端末Ｙ１の代わりに、産業用途で使用されるプログラマブル表示器、電子手帳、パーソナルコンピュータ、複写機、ゲーム用の端末装置、テレビ、デジタルカメラ等の種々の機器に備えられていてもよい。
【００４２】
なお、上述した実施形態は、本発明の実施形態の一具体例を示すものであり、種々の変形が可能である。以下、いくつかの主な変形例を示す。
【００４３】
[変形例１]
図８は、変形例１に係る電子機器Ｘ２の概略構成を示す平面図である。図９は、図８中に示した切断線Ｖ−Ｖに沿って切断した断面図である。なお、図８および図９において、図１および図３と同様の機能を有する構成については、同じ参照符号を付記し、その詳細な説明を省略する。
【００４４】
電子機器Ｘ２では、上述した液晶表示パネル２およびタッチパネル６の代わりに、入力位置を検知する位置検知機能を備えた液晶表示パネル２０を備えている。すなわち、液晶表示パネル２０は、基部３の主面３ａと操作部４の背面４ｂとの間の空間Ｓ１内に配置されている。本実施形態では、液晶表示パネル２０は、基部３の主面３ａ上に設けられている。
【００４５】
液晶表示パネル２０は、一方基板と、一方基板に対向して配置される他方基板と、一方基板と他方基板との間に介在した液晶層と、一方基板と他方基板との間に介在しかつ表示に寄与する表示部材層と、一方基板上に設けられた光検出部とを備えている。この光検出部が本実施形態に係る位置検知機能に相当する。光検出部に外光が入射されている状態で、操作部４を介して液晶表示パネル２０の上方に指を置くことにより、この指に対応する光検出部に入射される外光が遮断される。これにより、液晶表示パネル２０では、外光が入射されている光検出部の検出レベルと、外光が入射されていない光検出部の検出レベルとを比較することにより、入力位置を検知することができる。
【００４６】
なお、上記では、位置検知機能を備えた液晶表示パネル２０として、光検出部を備えた液晶表示パネルの例について説明したが、これに限定されない。例えば、位置検知機能を備えた液晶表示パネル２０として、静電容量方式のタッチパネルにおける検出電極を、液晶表示パネル２０の他方基板上に形成した液晶表示パネルであってもよい。
【００４７】
[変形例２]
また、上記では、支持部７は、第１角部Ｃ１、第２角部Ｃ２、第３角部Ｃ３、および第４角部Ｃ４のそれぞれを支持しているとともに、第１端部Ｔ１および第２端部Ｔ２のそれぞれを支持している例について説明したが、これに限定されない。例えば、支持部７は、第１端部Ｔ１および第２端部Ｔ２を支持することなく、第１角部Ｃ１、第２角部Ｃ２、第３角部Ｃ３、および第４角部Ｃ４のそれぞれを支持していてもよい。また、支持部７は、
第１角部Ｃ１および第４角部Ｃ４のみを支持していてもよいし、第２角部Ｃ２および第３角部Ｃ３のみを支持していてもよい。
【符号の説明】
【００４８】
Ｘ１，Ｘ２  電子機器
Ｙ１  携帯端末
２  液晶表示パネル（表示パネル）
３  基部
３ａ  基部の主面
４  操作部
４ａ  操作部の操作面
４ｂ  操作部の背面
５  側部
５１  第１側部
５２  第２側部
５２ａ  第２側部の内壁面
６  タッチパネル（検出部）
７  支持部
８  振動部
２０  液晶表示パネル（表示パネル、検出部）
１０１  音声入力部
１０２  音声出力部
１０４  筐体
Ｃ１  第１角部
Ｃ２  第２角部
Ｃ３  第３角部
Ｃ４  第４角部
Ｔ１  第１端部
Ｔ２  第２端部
Ｓ１  空間
【図１】
2013008151.tif 000003
【図２】
2013008151.tif 000004
【図３】
2013008151.tif 000005
【図４】
2013008151.tif 000006
【図５】
2013008151.tif 000007
【図６】
2013008151.tif 000008
【図７】
2013008151.tif 000009
【図８】
2013008151.tif 000010
【図９】
2013008151.tif 000011